(57)【特許請求の範囲】
【請求項１】
注がれた液体を外部に排出する排出口を底部に有し、
内周面に、複数の突出部が設けられ、
前記複数の突出部が、液体を注ぐ側から前記底部側に向かって直線状に形成されている、容器入り飲料の温度調整用カップ状容器。
【請求項２】
注がれた液体を外部に排出する排出口を底部に有し、
内周面に、複数の突出部が設けられ、
前記複数の突出部が、前記液体を注ぐ側から前記底部側に向かって階段状に形成されている、容器入り飲料の温度調整用カップ状容器。
【請求項３】
注がれた液体を外部に排出する排出口を底部に有し、
内周面に、少なくとも１つの突出部が設けられ、
前記少なくとも１つの突出部が、前記内周面に沿って螺旋状に形成されている、容器入り飲料の温度調整用カップ状容器。
【請求項４】
前記排出口が、前記突出部における前記底部側の終端と対応する位置に設けられている、請求項１乃至３のいずれか１項に記載の温度調整用カップ状容器。
【請求項５】
前記排出口が、前記底部の偏心位置に形成されている、請求項１乃至４のいずれか１項に記載の温度調整用カップ状容器。
【請求項６】
外側面に取っ手が取り付けられている、請求項１乃至５のいずれか１項に記載の温度調整用カップ状容器。
【発明の詳細な説明】
【技術分野】
【０００１】
本発明は、容器入り飲料を飲みやすい温度に調整するのに使用されるカップ状容器に関するものである。
【背景技術】
【０００２】
従来から、容器入り飲料の温度調整用カップ状容器は、公知となっている。例えば、下記特許文献１〜４などに開示されているものが代表例として挙げられる。なお、特許文献１のものは、上端を開口した筒体の底板の中央内面に軸棒を突設し、該軸棒に羽根付きの中底を回転自在に嵌合し、該中底の羽根面に冷水を直撃できるよう冷水導入管を筒体下部に斜めに取付けたことを特徴とする哺乳瓶の冷却器である。特許文献２のものは、上部の開いた容器に、容器底部まで伸ばさずに下部を切り欠いた仕切を設け、哺乳瓶を入れて冷却する冷却室と水を注ぐ給水室とに区分けした冷却容器である。特許文献３のものは、哺乳瓶の上部を容器本体の周縁部寄りに位置させた状態で哺乳瓶を固定する弾力性を有した固定手段を、カップ状容器の開口部に設けた哺乳瓶用温度調整器である。特許文献４のものは、カップ状容器の開口部に設けられ、哺乳瓶を固定する固定手段と、水を排出する溢水口とを備えた哺乳瓶用温度調整器である。
【先行技術文献】
【特許文献】
【０００３】
【特許文献１】実開昭５７−６７７４１号公報
【特許文献２】実開昭６３−１５９１６６号公報
【特許文献３】特開平６−９８９２５号公報
【特許文献４】特開平７−５１３４４号公報
【発明の概要】
【発明が解決しようとする課題】
【０００４】
しかしながら、上記特許文献１のものでは、使用するたびに冷水導入管を水道水の蛇口に取り付けなければならず、手軽に使用できるものではない。また、哺乳瓶を回転させることによる飲料の撹拌作用があるため、水道水を単に当てるだけの冷却よりも効果はあると思われるが、筒体中の水は、哺乳瓶の回転に合わせて螺旋を描きながら筒体下方から上方へと流れていくと思われるので、上記撹拌作用の点以外は、哺乳瓶を回転させずに筒体下方から上方へ水を流している場合と、さほど変わりないと思われる。また、上記特許文献２〜４のものでは、水道水又は湯などの温度調整用の液体を流したままにして容器入り飲料が適温になるまで待たなければならず、不経済である。したがって、近年では、さらに効率よく、手軽に容器入り飲料を適温にすることができるものが望まれている。
【０００５】
上記問題に鑑みて、本発明の目的は、効率よく、手軽に容器入り飲料を適温にすることができる、容器入り飲料の温度調整用カップ状容器を提供することである。
【課題を解決するための手段】
【０００６】
（１）  本発明の容器入り飲料の温度調整用カップ状容器は、注がれた液体を外部に排出する排出口を底部に有したものである。
【０００７】
上記（１）の構成によれば、前記温度調整用カップ状容器内に、飲料が入った飲料用容器を入れて、前記温度調整用カップ状容器上部から所定温度の液体を注入した際、前記液体は、前記飲料用容器を介して間接的に、飲料から吸熱又は飲料に与熱する。吸熱後又は与熱後の前記液体は前記排出口から排出されることになるので、新たな液体を前記温度調整用カップ状容器内に投入し続けることができる。その結果として、連続的に、前記容器入り飲料から吸熱、又は、前記容器入り飲料に与熱することができる。これにより、従来の底部に排出口がない温度調整用カップ状容器に比べて、効率よく容器入り飲料の温度調整をすることが可能な温度調整用カップ状容器を提供できる。したがって、例えば、水道水を使用しての冷却時においては、節水効果を期待できる。また、使用者が、（ａ）前記飲料用容器が入った前記温度調整用カップ状容器を手で持ち、前記液体を注ぎつつ前記カップ状容器上部からこぼれ出ない程度に、前記温度調整用カップ状容器を略水平面において略円を描くように回転させることで発生した遠心力によって、前記液体を前記飲料用容器にできるだけ長い時間接触させたり、流速を速くしたり、接触面積を大きくしたりする、（ｂ）前記飲料用容器が入った前記温度調整用カップ状容器を手で持って、前記液体を注ぎつつ前記飲料用容器の周りを棒状部材で撹拌する、又は、（ｃ）前記液体の注入量を適宜調整する、ことなどによって、効率よく容器入り飲料の温度調整をすることができる。特に、上記（ａ）又は（ｂ）の場合には、前記温度調整用カップ状容器内の飲料用容器も動かすことになるため、該飲料用容器内の飲料が撹拌されるので、より効率よく容器入り飲料の温度調整をすることができる。
【０００８】
（２）  上記（１）の温度調整用カップ状容器においては、内周面に、少なくとも１つの凹部又は突出部が設けられていることが好ましい。
【０００９】
上記（２）の構成によれば、使用者が上記（ａ）又は（ｂ）のように使用した際、前記カップ状容器内に注がれた前記液体を前記凹部又は前記突出部によって撹拌しつつ、飲料が入った飲料用容器に接触させることができるので、さらに効率よく容器入り飲料の温度調整をすることができる。
【００１０】
（３）  上記（２）の温度調整用カップ状容器においては、前記凹部が、前記底部に向かって略直線状に形成されているものであることが好ましい。
【００１１】
上記（３）の構成によれば、使用者が上記（ａ）又は（ｂ）のように使用した際、遠心力によって前記液体が前記凹部に入りやすくなるとともに前記底部方向へと落下しやすくなるので、吸熱後又は与熱後の前記液体の排出をスムーズに行うことができる。
【００１２】
（４）  別の観点として、上記（２）の温度調整用カップ状容器においては、前記突出部が、前記液体を注ぐ側から前記底部側に向かって略直線状に形成されているものであることが好ましい。
【００１３】
上記（４）の構成によれば、使用者が上記（ａ）又は（ｂ）のように操作している際には、前記液体を注ぐ側から前記底部側に向かって形成されている略直線状の前記突出部に飲料用容器が衝突するので、飲料用容器内の飲料が撹拌され、より効率よく容器入り飲料の温度調整をすることができる。
【００１４】
（５）  別の観点として、上記（２）の温度調整用カップ状容器においては、前記突出部が、前記液体を注ぐ側から前記底部側に向かって階段状に形成されているものであることが好ましい。
【００１５】
上記（５）の構成によれば、使用者が上記（ａ）又は（ｂ）のように操作している際には、前記液体を注ぐ側から前記底部側に向かって階段状に形成されている突出部によって飲料用容器の移動方向を一時的に変化させることができる。その結果として、飲料用容器内の飲料が撹拌され、より効率よく容器入り飲料の温度調整をすることができる。また、前記突出部が、２段以上の階段状に形成されているものであって、使用者が上記（ａ）又は（ｂ）のように操作している際、飲料用容器が前記突出部の位置まで移動してきた場合には、飲料用容器の外周面と温度調整用カップ状容器の内周面との接触部分が少なくなり、飲料用容器の外周面と温度調整用カップ状容器の内周面との間に隙間ができる。このとき、該隙間を上記液体が通過できるので、上記液体と飲料用容器の外周面とが、より接触することができるようになるため、効率よく容器入り飲料の温度調整をすることができる。
【００１６】
（６）  別の観点として、上記（２）の温度調整用カップ状容器においては、前記突出部が、前記カップ状容器の内周面に沿って螺旋状に形成されているものであることが好ましい。
【００１７】
上記（６）の構成によれば、使用者が上記（ａ）又は（ｂ）のように操作している際、内周面に沿って螺旋状に形成されている前記突出部に沿って、上記液体を飲料用容器の外周面に接触させることができることから、効率よく容器入り飲料の温度調整をすることができる。
【００１８】
（７）  上記（３）の温度調整用カップ状容器においては、前記排出口が、前記凹部における前記底部側の終端と対応する位置に設けられていることが好ましい。
【００１９】
（８）  上記（４）〜（６）の温度調整用カップ状容器においては、前記排出口が、前記突出部における前記底部側の終端と対応する位置に設けられていることが好ましい。
【００２０】
上記（７）又は（８）の構成によれば、使用者が上記（ａ）又は（ｂ）のように使用した際、前記突出部に沿って流れてきた吸熱後又は与熱後の前記液体の排出を、前記排出口からスムーズに行うことができる。
【００２１】
（９）  上記（１）〜（８）の温度調整用カップ状容器においては、前記排出口が、前記底部の偏心位置に形成されていることが好ましい。
【００２２】
上記（９）の構成によれば、前記温度調整用カップ状容器の底部中心に前記排出口があった場合には、使用者が上記（ａ）又は（ｂ）のように使用した際、遠心力によって前記液体が前記カップ状容器の内壁側に片寄りやすくなり、前記カップ状容器の底部付近まで流れてきた吸熱後又は与熱後の前記液体の排出が滞ることがある。これに対して、本発明の構成によれば、使用者が上記（ａ）又は（ｂ）のように使用した際であっても、前記排出口が、前記カップ状容器の底部の偏心位置に形成されているので、前記底部付近の吸熱後又は与熱後の前記液体の排出をスムーズに行うことができる。
【００２３】
（１０）  別の観点として、上記（１）〜（９）の温度調整用カップ状容器においては、外側面に取っ手が取り付けられていることが好ましい。
【００２４】
上記（１０）の構成によれば、使用者が上記（ａ）又は（ｂ）のように使用しやすい温度調整用カップ状容器を提供できる。
【図面の簡単な説明】
【００２５】
【図１】本発明の第１実施形態に係る、容器入り飲料の温度調整用カップ状容器の概略構成図であって、（ａ）が外周を含むように示した斜視図、（ｂ）が底部を含むように示した斜視図である。
【図２】図１（ｂ）に示した温度調整用カップ状容器において、線Ａ−Ａから鉛直方向に切断した場合を示す断面図である。
【図３】本発明の第２実施形態に係る、容器入り飲料の温度調整用カップ状容器の概略構成図である。
【図４】（ａ）が図３に示した温度調整用カップ状容器の上視図であって、（ｂ）が（ａ）のＢ−Ｂ矢視断面図である。
【図５】本発明の第３実施形態に係る、容器入り飲料の温度調整用カップ状容器の概略構成図であって、（ａ）が外周を含むように示した斜視図、（ｂ）が底部を含むように示した斜視図である。
【図６】図５（ｂ）に示した温度調整用カップ状容器において、線Ｃ−Ｃから鉛直方向に切断した場合を示す断面図である。
【図７】本発明の第４実施形態に係る、容器入り飲料の温度調整用カップ状容器の概略構成図であって、（ａ）が内周及び底部を含むように示した斜視図、（ｂ）が外周及び底部を含むように示した斜視図である。
【図８】図１（ｂ）に示した温度調整用カップ状容器において、線Ｄ−Ｄから鉛直方向に切断した場合を示す断面図である。
【図９】本発明の第５実施形態に係る、容器入り飲料の温度調整用カップ状容器の概略構成図である。
【図１０】（ａ）が図９に示した温度調整用カップ状容器の底面側から見た斜視図であって、（ｂ）が（ａ）に示した温度調整用カップ状容器において、線Ｅ−Ｅから水平方向に切断した場合を示す断面図である。
【図１１】本発明に係る実施例及び比較例の試験結果を示すグラフである。
【発明を実施するための形態】
【００２６】
＜第１実施形態＞
図１及び図２を用いて、本発明の第１実施形態に係る、容器入り飲料の温度調整用カップ状容器（以下、カップ状容器とする。）について説明する。
【００２７】
図１及び図２に示したように、カップ状容器１００は、開口部６を一端に有し、底部４を他端に有した筒状部１と、開口部６から筒状部１の外側方向へ突き出るように設けられた略Ｌ字状の取っ手２とを備えているものである。
【００２８】
筒状部１は、図２に示したように、開口部６から底部４にかけて縮径している略テーパー形状のものであって、飲料用容器１０１を内部に載置できるようになっている。また、筒状部１は、内周面であって取っ手２と対向する位置に、開口部６の縁から底部４の方向へ略直線状に設けられた凹部３を有している。凹部３の底部４側には、図１（ｂ）に示したように、略三日月形状の終端部５が形成されている。
【００２９】
底部４は、注がれた液体を外部に排出する排出口４ａを、偏心位置（底部４中心からずれた位置）且つ終端部５の下方位置付近に有している。
【００３０】
取っ手２は、先端が略鉛直方向の下方へ向くように、筒状部１に設けられている。これにより、使用者が持ちやすくなるので、カップ状容器１００を容易に操作できる。
【００３１】
次に、カップ状容器１００の操作方法について説明する。まず、飲料が入った飲料用容器１０１をカップ状容器１００の内部に入れる。次に、取っ手２を手で持ち、吸熱用又は与熱用の液体の注入量を適宜調整しながら、開口部６を介してカップ状容器１００の内部に注ぐ。続いて、開口部６からこぼれ出ない程度に、略水平面において略円を描くように時計回り又は反時計回りに回転させ、遠心力を発生させる。該遠心力を用いて、上記液体をカップ状容器１００の内周面に押しつけるようにしつつ、飲料用容器１０１に所定時間接触させるようにし、飲料用容器１０１を介して間接的に、上記飲料から吸熱又は上記飲料に与熱する。なお、当然ではあるが、単に上記液体を注ぐだけの状態よりも長い時間、上記液体をカップ状容器１００内において保持させるように、カップ状容器１００を操作する。続いて、吸熱後又は与熱後の上記液体を主に凹部３を介して排出口４ａから排出させつつ、新たな吸熱用又は与熱用の液体の注入量と、発生させる遠心力の強さとを適宜調整しながら、上記飲料の温度が適温になるまで、カップ状容器１００を略水平面において略円を描くように回転し続ける操作を行う。
【００３２】
上記構成によれば、従来の底部に排出口がないカップ状容器に比べて、効率よく容器入り飲料の温度調整をすることが可能なカップ状容器１００を提供できる。また、上述したようにカップ状容器１００を操作することで、飲料用容器１０１も動くため、飲料用容器１０１内の飲料が撹拌され、より効率よく容器入り飲料の温度調整をすることができる。したがって、例えば、水道水を使用しての冷却時においては、節水効果を期待できる。
【００３３】
また、上述したようにカップ状容器１００を操作することで、カップ状容器１００内に注がれた液体を、凹部３によって撹拌しつつ飲料が入った飲料用容器１０１に接触させることができるので、さらに効率よく容器入り飲料の温度調整をすることができる。また、遠心力によって上記液体が凹部３に入りやすくなるとともに底部４方向へと落下しやすくなるので、吸熱後又は与熱後の上記液体の排出をスムーズに行うことも可能である。
【００３４】
また、排出口４ａが底部４の偏心位置に形成されているので、上述したようにカップ状容器１００を操作した際に、遠心力によって上記液体が筒状部１の内周面に片寄ってしまっても、底部４付近の吸熱後又は与熱後の前記液体の排出をスムーズに行うことができる。
【００３５】
また、排出口４ａが凹部３の終端部５の下方位置に設けられているので、上述したようにカップ状容器１００を操作した際に、凹部３に沿って流れてきた吸熱後又は与熱後の上記液体の排出を、排出口４ａからスムーズに行うことができる。
【００３６】
＜第２実施形態＞
図３及び図４を用いて、本発明の第２実施形態に係るカップ状容器について説明する。なお、本実施形態における符号１２、１４、１５、２０１の部位は、順に、第１実施形態の符号２、４、５、１０１の部位と同様のものであるので、説明を省略することがある。
【００３７】
図３及び図４に示したように、カップ状容器２００は、開口部１５を一端に有し、底部１４を他端に有した筒状部１１と、開口部１５から筒状部１１の外側方向へ突き出るように設けられた略Ｌ字状の取っ手１２とを備えているものである。
【００３８】
筒状部１１は、図４（ｂ）に示したように、開口部１５から底部１４にかけて縮径している略テーパー形状のものであって、飲料用容器２０１を内部に載置できるようになっている。また、筒状部１１は、開口部１５と底部１４との間の内周面であって取っ手１２と対向する位置に、開口部１５側から底部１４側にかけて略直線状に設けられた一対の突出部１３を有している。
【００３９】
底部１４は、注がれた液体を外部に排出する排出口１４ａを、偏心位置（底部１４中心からずれた位置）であって２本の突出部１３の下方位置（突出部１３の底部１４側の終端と対応する位置）付近に有している。
【００４０】
次に、カップ状容器２００の操作方法について説明する。まず、飲料が入った飲料用容器２０１をカップ状容器２００の内部に入れる。次に、取っ手１２を手で持ち、吸熱用又は与熱用の液体の注入量を適宜調整しながら、開口部１５を介してカップ状容器２００の内部に注ぐ。続いて、開口部１５からこぼれ出ない程度に、略水平面において略円を描くように時計回り又は反時計回りに回転させ、遠心力を発生させる。該遠心力を用いて、上記液体をカップ状容器２００の内周面に押しつけるとともに突出部１３で撹拌しつつ、飲料用容器２０１に所定時間接触させるようにし、飲料用容器２０１を介して間接的に、上記飲料から吸熱又は上記飲料に与熱する。なお、当然ではあるが、単に上記液体を注ぐだけの状態よりも長い時間、上記液体をカップ状容器２００内において保持させるように、カップ状容器２００を操作する。続いて、吸熱後又は与熱後の上記液体を排出口１４ａから排出させつつ、新たな吸熱用又は与熱用の液体の注入量と、発生させる遠心力の強さとを適宜調整しながら、上記飲料の温度が適温になるまで、カップ状容器２００を略水平面において略円を描くように回転し続ける操作を行う。
【００４１】
上記構成によれば、凹部３が奏する効果を除いて、第１実施形態と同様の効果を奏することができる。
【００４２】
また、上述したようにカップ状容器２００を操作することで、カップ状容器２００内に注がれた液体を、突出部１３によって撹拌しつつ飲料が入った飲料用容器２０１に接触させることができるので、さらに効率よく容器入り飲料の温度調整をすることができる。また、上記液体が突出部１３に沿って底部１４方向へと落下しやすくなるので、吸熱後又は与熱後の上記液体の排出をスムーズに行うことも可能である。
【００４３】
また、上述したようにカップ状容器２００を操作している際には、突出部１３に飲料用容器２０１が衝突するので、飲料用容器２０１内の飲料が撹拌され、より効率よく容器入り飲料の温度調整をすることができる。
【００４４】
また、排出口１４ａが突出部１３の下方位置に設けられているので、上述したようにカップ状容器２００を操作した際に、突出部１３に沿って流れてきた吸熱後又は与熱後の上記液体の排出を、排出口１４ａからスムーズに行うことができる。
【００４５】
＜第３実施形態＞
図５及び図６を用いて、本発明の第３実施形態に係るカップ状容器について説明する。なお、本実施形態における符号２２、２５、３０１の部位は、順に、第１実施形態の符号２、５、１０１の部位と同様のものであるので、説明を省略することがある。
【００４６】
図５及び図６に示したように、カップ状容器３００は、開口部２５を一端に有し、底部２４を他端に有した筒状部２１と、開口部２５から筒状部２１の外側方向へ突き出るように設けられた略Ｌ字状の取っ手２２とを備えているものである。
【００４７】
筒状部２１は、図６に示したように、開口部２５から底部２４にかけて縮径している略テーパー形状のものであって、飲料用容器３０１を内部に載置できるようになっている。また、筒状部２１は、開口部２５と底部２４との間の内周面であって取っ手２２と対向する位置に、開口部２５側から底部２４側にかけて略直線状に設けられ、２ヶ所の突出部分２３ａ、２３ｂをそれぞれ有した一対の突出部２３を有している。
【００４８】
底部２４は、注がれた液体を外部に排出する排出口２４ａを、偏心位置（底部２４中心からずれた位置）に有している。
【００４９】
次に、カップ状容器３００の操作方法について説明する。まず、飲料が入った飲料用容器３０１をカップ状容器３００の内部に入れる。次に、取っ手２２を手で持ち、吸熱用又は与熱用の液体の注入量を適宜調整しながら、開口部２５を介してカップ状容器３００の内部に注ぐ。続いて、開口部２５からこぼれ出ない程度に、略水平面において略円を描くように時計回り又は反時計回りに回転させ、遠心力を発生させる。該遠心力を用いて、上記液体をカップ状容器３００の内周面に押しつけるとともに突出部２３で撹拌しつつ、飲料用容器３０１に所定時間接触させるようにし、飲料用容器３０１を介して間接的に、上記飲料から吸熱又は上記飲料に与熱する。なお、当然ではあるが、単に上記液体を注ぐだけの状態よりも長い時間、上記液体をカップ状容器３００内において保持させるように、カップ状容器３００を操作する。続いて、吸熱後又は与熱後の上記液体を排出口２４ａから排出させつつ、新たな吸熱用又は与熱用の液体の注入量と、発生させる遠心力の強さとを適宜調整しながら、上記飲料の温度が適温になるまで、カップ状容器３００を略水平面において略円を描くように回転し続ける操作を行う。
【００５０】
上記構成によれば、凹部３が奏する効果を除いて、第１実施形態と同様の効果を奏することができる。
【００５１】
また、上述したようにカップ状容器３００を操作することで、カップ状容器３００内に注がれた液体を、突出部２３によって撹拌しつつ飲料が入った飲料用容器３０１に接触させることができるので、さらに効率よく容器入り飲料の温度調整をすることができる。また、上記液体が突出部２３に沿って底部２４方向へと落下しやすくなるので、吸熱後又は与熱後の上記液体の排出をスムーズに行うことも可能である。
【００５２】
また、上記液体が、突出部２３における２ヶ所の突出部分２３ａ、２３ｂに衝突するものと、突出部分２３ａ、２３ｂ間を通過するものとに分かれるので、上記液体の撹拌作用が促され、第２実施形態よりも効率よく容器入り飲料の温度調整をすることができる。
【００５３】
また、上述したようにカップ状容器２００を操作している際には、突出部２３に飲料用容器３０１が衝突し移動する方向が一時的に変化するので、飲料用容器２０１内の飲料が撹拌され、より効率よく容器入り飲料の温度調整をすることができる。
【００５４】
＜第４実施形態＞
図７及び図８を用いて、本発明の第４実施形態に係るカップ状容器について説明する。なお、本実施形態における符号３２、３５、４０１の部位は、順に、第１実施形態の符号２、５、１０１の部位と同様のものであるので、説明を省略することがある。
【００５５】
図７及び図８に示したように、カップ状容器４００は、開口部３５を一端に有し、底部３４を他端に有した筒状部３１と、開口部３５から筒状部３１の外側方向へ突き出るように設けられた略Ｌ字状の取っ手３２とを備えているものである。
【００５６】
筒状部３１は、図８に示したように、開口部３５から底部３４にかけて縮径している略テーパー形状のものであって、飲料用容器４０１を内部に載置できるようになっている。また、筒状部３１は、開口部３５と底部３４との間の内周面であって取っ手３２と対向する位置に、液体が注がれる開口部３５側から底部３４側にかけて形成された階段状部位３３ａ、３３ｂからなる突出部３３を有している。
【００５７】
底部３４は、注がれた液体を外部に排出する排出口３４ａを、偏心位置（底部３４中心からずれた位置）であって突出部３３における階段状部位３３ｂの下方位置（突出部３３の底部３４側の終端と対応する位置）付近に有している。
【００５８】
次に、カップ状容器４００の操作方法について説明する。まず、飲料が入った飲料用容器４０１をカップ状容器４００の内部に入れる。次に、取っ手３２を手で持ち、吸熱用又は与熱用の液体の注入量を適宜調整しながら、開口部３５を介してカップ状容器４００の内部に注ぐ。続いて、開口部３５からこぼれ出ない程度に、略水平面において略円を描くように時計回り又は反時計回りに回転させ、遠心力を発生させる。該遠心力を用いて、上記液体をカップ状容器４００の内周面に押しつけるとともに突出部３３で撹拌しつつ、飲料用容器４０１に所定時間接触させるようにし、飲料用容器４０１を介して間接的に、上記飲料から吸熱又は上記飲料に与熱する。なお、当然ではあるが、単に上記液体を注ぐだけの状態よりも長い時間、上記液体をカップ状容器４００内において保持させるように、カップ状容器４００を操作する。続いて、吸熱後又は与熱後の上記液体を排出口３４ａから排出させつつ、新たな吸熱用又は与熱用の液体の注入量と、発生させる遠心力の強さとを適宜調整しながら、上記飲料の温度が適温になるまで、カップ状容器４００を略水平面において略円を描くように回転し続ける操作を行う。
【００５９】
上記構成によれば、凹部３が奏する効果を除いて、第１実施形態と同様の効果を奏することができる。
【００６０】
また、上述したようにカップ状容器３００を操作している際には、突出部３３によって飲料用容器３０１の移動方向を一時的に変化させることができる。その結果として、飲料用容器３０１内の飲料が撹拌され、より効率よく容器入り飲料の温度調整をすることができる。
【００６１】
また、上述したようにカップ状容器３００を操作している際、飲料用容器３０１が突出部３３の位置まで移動してきた場合には、飲料用容器３０１の外周面と筒状部３１の内周面との接触部分が少なくなり、飲料用容器３０１の外周面と筒状部３１の内周面との間に隙間ができる。このとき、該隙間を上記液体が通過できるので、上記液体と飲料用容器３０１の外周面とが、より接触することができるようになるため、効率よく容器入り飲料の温度調整をすることができる。
【００６２】
＜第５実施形態＞
図９及び図１０を用いて、本発明の第５実施形態に係るカップ状容器について説明する。なお、本実施形態における符号４２、４５、５０１の部位は、順に、第１実施形態の符号２、５、１０１の部位と同様のものであるので、説明を省略することがある。
【００６３】
筒状部４１は、図１０に示したように、開口部４５から底部４４にかけて縮径している略テーパー形状のものであるとともに、左下向きに切られた螺旋形状部が内周面に設けられているものであり、飲料用容器４０１を内部に載置できるようになっている。なお、該螺旋形状部は、内周面において突出している部分である山部４３ａ（突出部）と、内周面において窪んでいる谷部４３ｂとを有している。
【００６４】
底部４４は、注がれた液体を外部に排出する排出口４４ａを、偏心位置（底部４４中心からずれた位置）であって上記螺旋形状部の底部４４側の終端に対応する位置（山部４３ａと谷部４３ｂとの間であり、且つ、山部４３ａ及び谷部４３ｂの底部４４側の終端に対応する位置）に有している。
【００６５】
次に、カップ状容器５００の操作方法について説明する。まず、飲料が入った飲料用容器５０１をカップ状容器５００の内部に入れる。次に、取っ手４２を手で持ち、吸熱用又は与熱用の液体の注入量を適宜調整しながら、開口部４５を介してカップ状容器５００の内部に注ぐ。続いて、開口部４５からこぼれ出ない程度に、略水平面において略円を描くように反時計回りに回転させ、遠心力を発生させる。該遠心力を用いて、上記液体をカップ状容器５００の内周面に押しつけるとともに上記螺旋形状部で撹拌しつつ、飲料用容器５０１に所定時間接触させるようにし、飲料用容器５０１を介して間接的に、上記飲料から吸熱又は上記飲料に与熱する。なお、当然ではあるが、単に上記液体を注ぐだけの状態よりも長い時間、上記液体をカップ状容器５００内において保持させるように、カップ状容器５００を操作する。続いて、吸熱後又は与熱後の上記液体を排出口４４ａから排出させつつ、新たな吸熱用又は与熱用の液体の注入量と、発生させる遠心力の強さとを適宜調整しながら、上記飲料の温度が適温になるまで、カップ状容器５００を略水平面において略円を描くように回転し続ける操作を行う。
【００６６】
上記構成によれば、凹部３が奏する効果を除いて、第１実施形態と同様の効果を奏することができる。
【００６７】
また、上述したようにカップ状容器５００を操作すると、上記螺旋形状部の山部４３ａ及び谷部４３ｂに沿って上記液体を流しつつ、該液体を飲料用容器５０１の外周面に効果的に接触させることができることから、効率よく容器入り飲料の温度調整をすることができる。
【実施例】
【００６８】
次に、第５実施形態のカップ状容器５００と同様のカップ状容器（内容量１．３リットル）を用いて、哺乳瓶の冷却試験を行った。具体的には、勾配７８．７°、リード１５０の３条ネジで切ったような形状の螺旋形状部を内周面に形成し、底部に排出口を第５実施形態のカップ状容器５００と同様に形成したカップ状容器を用いた。
【００６９】
ここで、下記表１に、比較例１〜３及び実施例１〜５の試験条件を上段に示すとともに、下段に試験結果（哺乳瓶内部のミルクの温度（℃）の時間変化）を示す。また、図１１に試験結果をグラフ化した図を示す。なお、比較例１〜３は、加温したミルク（２４０ｍｌ）が入った哺乳瓶（内容量２６０ｍｌ）に水道水を直接当てて試験を行ったものである。ただし、比較例３においては、哺乳瓶の上部を持って振ることによって内部の飲料を撹拌操作した。また、各実施例においては、上述した本発明のカップ状容器に、加温したミルクが入った哺乳瓶（比較例と同様のもの）を載置し、本発明のカップ状容器内に水道水（比較例と同流量）を注ぎつつ試験した。特に、実施例４、５においては、上述した本発明のカップ状容器に、加温したミルクが入った哺乳瓶を載置した後、哺乳瓶の周りに氷を配置し、本発明のカップ状容器内に水道水を注ぎつつ試験した。ここで、表１の実施例における「撹拌操作  あり」とは、第５実施形態で示したカップ状容器５００の操作を行ったことを示し、「撹拌操作  なし」とは、水道水を本発明のカップ状容器内に注いだだけであることを示す。
【００７０】
【表１】
0005432601.tif 000002
【００７１】
以下、表１及び図１１を参照しながら、比較例１〜３及び実施例１〜５について考察する。比較例１は、室温及び水温（水道水の温度）があまり高くない時期にしたものであるが、その分、ミルクを速く冷却できており、約２分で適温の４０℃前後となった。これに対して、室温及び水温が比較例１の時よりも高くなった比較例２においては、４０℃前後となるのに、約６分かかった。また、撹拌を行った以外、比較例２と同じ条件で試験した比較例３においては、４分以上かかった。
【００７２】
実施例１においては、撹拌操作をすることなく水道水を注いだだけであるが、撹拌操作を行った比較例３とほぼ同様の効果が得られている。これに対して、撹拌操作を行った実施例２においては、ミルクの温度が４０℃前後となるのに比較例３及び実施例１に比べて大幅に短縮されていることがわかる。水道水をシャワー状にして用いた実施例３においては、実施例２に劣るものの、比較例３及び実施例１に比べて冷却必要時間が短縮されていることが分かる。
【００７３】
実施例４においては撹拌操作を行っていないが、氷の効果により、実施例２に劣るものの、比較例３及び実施例１に比べて冷却必要時間が短縮されていることが分かる。撹拌操作を行った実施例５においては、実施例１〜５の中で最も冷却必要時間が短いものであった。
【００７４】
これらの試験結果から、本実施例のカップ状容器に、優れた温度調整効果があることがわかる。
【００７５】
＜変形例＞
なお、本発明は、特許請求の範囲を逸脱しない範囲で設計変更できるものであり、上記実施形態又は実施例などに限定されるものではない。例えば、図示しないが、第１実施形態における凹部３及び第２、３実施形態における突出部１３、２３は、内周面における斜面勾配方向とほぼ同方向に延びるように設けられているが、前記斜面勾配方向に対して斜め方向に設けることとしてもよい。
【００７６】
また、第１実施形態における凹部３と同様の凹部をカップ状容器内周面に複数設けることとしてもよい。
【００７７】
また、第２、３実施形態における突出部１３、２３は、一対で設けられているものであるが、１つずつのものであってもよい。
【００７８】
また、第４実施形態における突出部３３は、２つの階段状部位３３ａ、３３ｂからなるものであるが、１つの階段状部位からなるものであってもよいし、３つ以上の階段状部位からなるものであってもよい。
【００７９】
また、第５実施形態における螺旋形状部は、左下向きに切られたものであるが、右下向きに切られたものであってもよい。
【００８０】
また、各実施形態の取っ手は、外側面に設けられていれば、どのように設けられていてもよい。また、操作の点では取っ手があるものに比べて効果の点で劣りはするが、各実施形態においては、取っ手がないカップ状容器であってもよい。
【００８１】
また、上記各実施形態の操作方法の変形例として、以下の操作方法を用いてもよい。まず、飲料が入った飲料用容器をカップ状容器の内部に入れ、取っ手を手で持ち、上記液体を注ぎつつ飲料用容器の周りを棒状部材などで撹拌する。このとき、該棒状部材を飲料用容器に接触させて、飲料用容器に振動を与えるようにしてもよい。他に、上記液体の流速が速くなるように回転させる操作をしてもよいし、上記液体と飲料用容器の外周面との接触面積が大きくなるように回転させる操作をしてもよい。
【符号の説明】
【００８２】
１、１１、２１、３１、４１    筒状部
２、１２、２２、３２、４２    取っ手
３    凹部
４、１４、２４、３４、４４    底部
４ａ、１４ａ、２４ａ、３４ａ、４４ａ    排出口
５    終端部
６、１５、２５、３５、４５    開口部
１３、２３、３３    突出部
２３ａ、２３ｂ    突出部分
３３ａ、３３ｂ    階段状部位
４３ａ    山部
４３ｂ    谷部
１００、２００、３００、４００、５００    カップ状容器
１０１、２０１、３０１、４０１、５０１    飲料用容器
【図１】
0005432601.tif 000003
【図２】
0005432601.tif 000004
【図３】
0005432601.tif 000005
【図４】
0005432601.tif 000006
【図５】
0005432601.tif 000007
【図６】
0005432601.tif 000008
【図７】
0005432601.tif 000009
【図８】
0005432601.tif 000010
【図９】
0005432601.tif 000011
【図１０】
0005432601.tif 000012
【図１１】
0005432601.tif 000013